(57)【特許請求の範囲】
【請求項１】
室内の空気を機内に吸引して清浄した空気を機外に循環供給するファンと、空気の汚れを検出するガスセンサと、該ガスセンサの出力に基づいて汚染レベルを決定し、その汚染レベルを表示し、または、汚染レベルに応じて前記ファンの風量を調節する制御手段とを備えた空気清浄機において、
前記制御手段は、前記汚染レベルの変動と同時にタイマのカウントを開始し、所定時間以上、汚染レベルが同一である場合、前記汚染レベルが減少したと判断するとともに、汚染レベルが減少した場合、それまでのカウント時間を加算してカウントするようにしたことを特徴とする記載の空気清浄機。
【請求項２】
室内の空気を機内に吸引して清浄した空気を機外に循環供給するファンと、空気の汚れを検出するガスセンサと、該ガスセンサの出力に基づいて汚染レベルを決定し、その汚染レベルを表示し、または、汚染レベルに応じて前記ファンの風量を調節する制御手段とを備えた空気清浄機において、
前記制御手段は、前記汚染レベルの変動と同時にタイマのカウントを開始し、所定時間以上、汚染レベルが同一である場合、前記汚染レベルが減少したと判断するとともに、前記カウントする時間は、汚染レベル毎に相違させていることを特徴とする空気清浄機。
【請求項３】
室内の空気を機内に吸引して清浄した空気を機外に循環供給するファンと、空気の汚れを検出するガスセンサと、該ガスセンサの出力に基づいて汚染レベルを決定し、その汚染レベルを表示し、または、汚染レベルに応じて前記ファンの風量を調節する制御手段とを備えた空気清浄機において、
前記制御手段は、前記汚染レベルの変動と同時にタイマのカウントを開始し、所定時間以上、汚染レベルが同一である場合、前記汚染レベルが減少したと判断するとともに、前記カウントする時間は、風量に基づいて演算処理するようにしたことを特徴とする空気清浄機。
【請求項４】
前記制御手段は、汚染レベルが増減した場合、それまでのカウント時間をリセットするようにしたことを特徴とする請求項２または請求項３に記載の空気清浄機。
【請求項５】
前記制御手段は、汚染レベルが減少した場合、それまでのカウント時間を加算してカウントするようにしたことを特徴とする請求項２または請求項３に記載の空気清浄機。
【発明の詳細な説明】
【０００１】
【発明の属する技術分野】
本発明は、室内の空気を清浄する空気清浄機に関するものである。
【０００２】
【従来の技術】
この種の空気清浄機は、ファンによる吸引力で室内の空気を機内に吸い込み、清浄フィルタを通して空気中の塵埃を分離除去した後、清浄空気を吹出口から機外（室内）に循環供給することにより、室内の空気を清浄するものである。
【０００３】
近年の空気清浄機では、空気に含まれる埃を検出するダストセンサや、喫煙による空気の汚れを除去するためにガスセンサが搭載され、これらのセンサの出力に基づいて室内の空気の汚染レベルを表示パネルに表示するようにしている。また、空気の汚染レベルに応じて前記ファンによる風量を自動調節する自動運転機能が搭載されている。
【０００４】
【発明が解決しようとする課題】
しかしながら、ガスセンサは、タバコの煙に含まれた水素分や一酸化炭素分に反応するものであるが、ユーザが判断できるのは微粒子からなる煙や臭気である。そのため、前記空気清浄機では、ユーザが判断できる粒子や臭気は清浄されているにも関わらず、フィルタでは除去できない水素分や一酸化炭素分の残留により、時間が経過しても汚染レベルが減少しない。また、自動運転を実行している場合には、時間が経過しても風量が多く、汚染レベルが高い状態で動作し続ける。そのため、ユーザは違和感を感じるという不都合がある。
【０００５】
そこで、本発明では、ユーザに違和感を感じさせることなく、実際の室内の汚染レベルに応じた運転が可能な空気清浄機を提供することを課題とするものである。
【０００６】
【課題を解決するための手段】
前記課題を解決するため、本発明の空気清浄機は、室内の空気を機内に吸引して清浄した空気を機外に循環供給するファンと、空気の汚れを検出するガスセンサと、該ガスセンサの出力に基づいて汚染レベルを決定し、その汚染レベルを表示し、または、汚染レベルに応じて前記ファンの風量を調節する制御手段とを備えた空気清浄機において、前記制御手段は、前記汚染レベルの変動と同時にタイマのカウントを開始し、所定時間以上、汚染レベルが同一である場合、前記汚染レベルが減少したと判断する構成としている。
【０００７】
前記空気清浄機によれば、所定時間以上、汚染レベルが同一である場合、汚染レベルが減少したと判断するため、汚染レベルの表示を減少させたり、自動運転を選択している場合にはファンによる風量を減少させることができる。そのため、ユーザが違和感を感じることなく、実際の室内の汚染レベルに応じた表示や自動運転を行うことができる。
【０００８】
そして、第１の空気清浄機では、更に、汚染レベルが減少した場合、それまでのカウント時間を加算してカウントする構成としている。この状態では、室内の空気の汚れは減少しているため、不要な清浄時間を削減できる。
【０００９】
また、第２の空気清浄機では、更に、前記カウントする時間を、汚染レベル毎に相違させる構成としている。このようにすれば、水素分や一酸化炭素分の吸着効率がよい当初と時間が経過した後とで清浄時間が異なるため、ユーザが違和感を感じることを一層防止できる。
【００１０】
さらに、第３の空気清浄機では、前記カウントする時間を、風量に基づいて演算処理する構成としている。このようにすれば、風量が多い場合と少ない場合とで空気が清浄される時間が同一になることにより、ユーザが違和感を感じることを防止できる。
【００１１】
これらの空気清浄機では、前記制御手段は、汚染レベルが増減した場合、それまでのカウント時間をリセットすることが好ましい。このようにすれば、室内の空気の汚れが増減しても十分な清浄時間を確保できる。
【００１２】
【発明の実施の形態】
以下、本発明の実施の形態を図面に従って説明する。
図１から図３は、本発明の実施形態の空気清浄機１を示す。この空気清浄機１は機械集塵式であり、機体を構成するケーシング２の内部に、清浄フィルタ２６、ファン２７、ガスセンサ３０、ダストセンサ３１、および、マイコンを実装した制御基板３２を配設したものである。
【００１３】
前記ケーシング２は、清浄フィルタ２６やファン２７を装着する前後部を開口した基礎枠３と、該基礎枠３の前側開口を遮蔽する前カバー６と、前記基礎枠３の後側開口を閉鎖する後カバー８とからなる。
【００１４】
前記基礎枠３は、略前後中央部を仕切る仕切板４を備え、この仕切板４によって区画した前側に清浄フィルタ２６や表示基板１１が配設されるとともに、後側にファン２７や制御基板３２が配設されている。前記仕切板４には、図示しない多数の通気孔が形成されている。また、仕切板４には、ファン２７の羽根２９を囲繞する略渦形状の隔板５が一体に設けられ、この隔板５によりファン２７の収容部と制御基板３２の収容部とに区画されている。
【００１５】
前記前カバー６は、上下方向に延びるスリットからなる多数の吸込口７を備え、その中央部には、上下方向に延びる操作パネル１６が配設されている。
【００１６】
前記後カバー８は、前記基礎枠３に取り付けることによって、その内面と前記隔板５とを当接させてこれらの間をシールするものである。この後カバー８の上端には、前記基礎枠３の隔板５内と連通する吹出口９が設けられている。この吹出口９の内部には、複数のルーバーが設けられている。また、この後カバー８の下部には、ダストセンサ３１に対応するスリットからなる複数の吸気孔１０が設けられている。
【００１７】
前記基礎枠３に配設した表示基板１１には、図３に示すように、主電源スイッチ１２と、選択スイッチ１３と、後述するガスセンサ３０と、図示しないリモコンの受信部１４と、複数のＬＥＤ１５ａ〜１５ｑが配設されている。ここで、このＬＥＤ１５ａ〜１５ｄは、ダストセンサ３１の出力に基づいて埃による汚染レベルを表示するものである。ＬＥＤ１５ｅ〜１５ｈは、ガスセンサ３０の出力に基づいてガスによる汚染レベルを表示するものである。ＬＥＤ１５ｉ〜１５ｋは、ファン２７の風量を表示するものである。ＬＥＤ１５ｌ〜１５ｎは、タイマによる設定時間を表示するものである。ＬＥＤ１５ｏは、積算した総風量に対応する清浄フィルタ２６の交換時期に至ったことを表示するものである。ＬＥＤ１５ｐは、ファン２７による自動運転でその風量が「標準」であることを表示するものである。ＬＥＤ１５ｑは、ファン２７による自動運転でその風量が「おだやか」であることを表示するものである。
【００１８】
また、前面カバーに配設した操作パネル１６には、図１に示すように、前記主電源スイッチ１２の操作部１７と、選択スイッチ１３の操作部１８と、前記ガスセンサ３０に対応して上下方向に延びるスリットからなる吸気孔１９とが設けられている。また、前記受信部１４に対応する透過部２０、ＬＥＤ１５ａ〜１５ｄに対応するほこりレベル表示部２１、ＬＥＤ１５ｅ〜１５ｈに対応するにおいレベル表示部２２、ＬＥＤ１５ｉ〜１５ｋに対応する風量表示部２３、ＬＥＤ１５ｌ〜１５ｎに対応するタイマ時間表示部２４、ＬＥＤ１５ｏに対応するフィルタ交換表示部２５、ＬＥＤ１５ｐ，１５ｑに対応する自動運転レベル表示部３３が設けられている。
【００１９】
前記清浄フィルタ２６は、図３に示すように、０．３μｍの微粒子に対して９９．９７％以上の初期集塵効率を備えたＨＥＰＡ（Ｈigh Ｅfficiency Ｐarticulate Ａir）フィルタが使用されている。
【００２０】
前記ファン２７は、モータ２８の出力軸に羽根２９を取り付けた周知のものである。
【００２１】
前記ガスセンサ３０は、ケーシング２の前部である前記表示基板１１に配設されており、タバコの煙に含まれた水素分や一酸化炭素分を検出するものである。即ち、本実施形態の空気清浄機１では、タバコに含まれる水素分や一酸化炭素分を検出することにより、その検出値に応じてユーザが判別できる「におい」として表示部２２にレベル表示させ、そのタバコの煙や臭いを清浄フィルタ２６によって吸着して空気を清浄するものである。
【００２２】
前記ダストセンサ３１は、図２に示すように、ケーシング２の後部に位置するように、基礎枠３の隔板５の外周部に配設されており、空気中に浮遊する埃を検出するものである。
【００２３】
前記制御基板３２は、ケーシング２の後部においてダストセンサ３１の反対側に位置するように、基礎枠３の隔板５の外周部に配設されている。この制御基板３２に実装されたマイコンは、前記ダストセンサ３１の出力に基づいて清浄（レベル「０」）からレベル「３」まで４段階に汚染レベルを決定し、そのレベルに応じてほこりレベル表示部２１を構成するＬＥＤ１５ａ〜１５ｄを点灯させるものである。また、前記ガスセンサ３０の出力に基づいて清浄（レベル「０」）からレベル「３」まで４段階に汚染レベルを決定し、そのレベルに応じてにおいレベル表示部２２を構成するＬＥＤ１５ｅ〜１５ｈを点灯させるものである。なお、これらの表示部２１，２２は、レベル「０」の場合にはＬＥＤ１５ａ，１５ｅのみがそれぞれ点灯し、レベル「１」の場合にはＬＥＤ１５ａ，１５ｂと１５ｅ，１５ｆの２つがそれぞれ点灯し、レベル「２」の場合にはＬＥＤ１５ａ〜１５ｃと１５ｅ〜１５ｇの３つがそれぞれ点灯し、レベル「３」の場合には全てのＬＥＤ１５ａ〜１５ｄと１５ｅ〜１５ｈが点灯する。
【００２４】
さらに、マイコンは、自動「標準」、自動「おだやか」、「強」、「中」、「弱」のうち、ユーザが選択したいずれかの風量で前記ファン２７を動作させる。そして、ユーザが選択した風量が自動運転で「標準」の場合には、前記ダスト汚染レベルとガス汚染レベルのいずれか高いレベルに基づき、レベル「０」の場合にはファン２７を停止し、レベル「１」の場合には「弱」風で運転し、レベル「２」の場合には「中」風で運転し、レベル「３」の場合には「強」風で運転する。即ち、本実施形態では、ファン２７は、停止状態を含み、４段階で風量調節する構成としている。なお、前記自動運転のうち「おだやか」は、主にユーザが寝る時に好適に使用するモードであり、ガスセンサ３０またはダストセンサ３１の出力によって汚染状態を検出すると、いずれのレベルでも「弱」風で運転する。
【００２５】
なお、本実施形態のマイコンは、前記ガスセンサ３０を介してガス汚染レベルを検出すると、その汚染レベルの変動と同時にタイマによるカウントを開始し、所定時間以上継続してガスセンサ３０の出力による汚染レベルが同一である場合、表示する汚染レベルや風量に反映する汚染レベルを減少させるように構成している。そして、前記タイマによってカウントする時間は、下記の表１に示すように、汚染レベル毎に相違させている。
【００２６】
【表１】
0003769212.tif 000002
【００２７】
前記表１に示すように、マイコンは、ガス汚染レベル「３」を検出した後、レベル変動なく６００秒経過すると、ガスセンサ３０の出力による水素分や一酸化炭素分の汚染レベルが「３」であっても清浄したと判断し、においレベル表示部２２のレベルを「２」に更新する。
【００２８】
また、ガス汚染レベル「２」を検出した後、レベル変動なく９００秒経過すると、ガスセンサ３０の出力による汚染レベルが「２」であっても清浄したと判断し、においレベル表示部２２の汚染レベルを「１」に更新する。または、ガス汚染レベル「３」を検出し、ガス汚染レベルの表示は「２」に更新した状態で、９００秒経過すると、ガスセンサ３０の出力による汚染レベルが「３」であっても清浄したと判断し、においレベル表示部２２の汚染レベルを「１」に更新する。
【００２９】
また、ガス汚染レベル「１」を検出した後、レベル変動なく１２００秒経過すると、ガスセンサ３０の出力による汚染レベルが「１」であっても清浄したと判断し、においレベル表示部２２の汚染レベルを「０」に更新する。または、ガス汚染レベル「３」または「２」を検出し、ガス汚染レベルの表示は「１」に更新した状態で、１２００秒経過すると、ガスセンサ３０の出力による汚染レベルが「３」または「２」であっても清浄したと判断し、においレベル表示部２２の汚染レベルを「０」に更新する。
【００３０】
このように、汚染レベル毎にカウント時間を相違させ、水素分や一酸化炭素分の吸着効率がよい当初と時間が経過した後とで清浄時間を異ならせ、ユーザが空気の清浄効率に係る違和感を感じることを防止している。
【００３１】
また、前記カウント時間は、下記の式（１）に基づいて演算して算出される。
【００３２】
【式１】
0003769212.tif 000003
【００３３】
前記式（１）に示すように、風量設定が「強」である場合、「弱」と比較すると単位時間当たりの風量が約４倍であるため、カウント時間は４倍して加算する。また、風量設定が「中」である場合、「弱」と比較すると単位時間当たりの風量が約２倍であるため、カウント時間は２倍して加算する。このように、カウントする時間を風量に基づいて演算することにより、風量が多い場合と少ない場合とで空気が清浄される時間が同一になり、ユーザが違和感を感じることを防止している。
【００３４】
即ち、風量が「弱」に設定され、かつ、ガスセンサ３０の検出による出力が汚染レベル「３」である場合、図４（Ａ）に示すように、６００秒経過すると、検出したレベルが「３」であってもにおいレベル表示部２２の表示レベルを「２」に変更表示する。また、汚染レベルを「２」に変更した後、９００秒経過すると、検出したレベルが「３」であってもにおいレベル表示部２２の表示レベルを「１」に変更表示する。また、汚染レベルを「１」に変更した後、１２００秒経過すると、検出したレベルが「３」であってもにおいレベル表示部２２の表示レベルを「０」に変更表示する。
【００３５】
なお、風量が自動「標準」に設定され、かつ、ガスセンサ３０の検出による出力が汚染レベル「３」である場合、図４（Ｂ）に示すように、ファン２７による風量を「強」としてｔＭ３が１５０秒（×４＝６００）経過すると、検出したレベルが「３」であってもにおいレベル表示部２２の表示レベルを「２」に変更表示する。また、汚染レベルを「２」に変更した後、風量を「中」としてｔＭ２が４５０秒（×２＝９００）経過すると、検出したレベルが「３」であってもにおいレベル表示部２２の表示レベルを「１」に変更表示する。また、汚染レベルを「１」に変更した後、風量を「弱」としてｔＭ１が１２００秒経過すると、検出したレベルが「３」であってもにおいレベル表示部２２の表示レベルを「０」に変更表示する。
【００３６】
また、本実施形態のマイコンは、カウント中にガスセンサ３０の出力による汚染レベルが表示したレベルより増加した場合、それまでのカウント時間をリセットし、室内の空気の汚れが増加しても十分な清浄時間を確保できるようにしている。また、カウント中に汚染レベルが減少した場合、それまでのカウント時間を加算してカウントを継続するようにし、換気などによって室内の空気の汚れが減少している際に、不要な清浄時間を削減できるようにしている。
【００３７】
例えば、図５（Ａ）に示すように、風量が「弱」に設定された状態で、ａ点でガスセンサ３０の出力によって汚染レベル「２」を検出すると、においレベル表示部２２はレベル「２」を表示する。また、４００秒後のｂ点で、前回を上回る汚染レベル「３」を検出すると、においレベル表示部２２はレベル「３」を表示し、カウントした時間をクリアする。そして、この汚染レベル「３」の検出が続き、６００秒（ｃ点）経過すると、検出したレベルが「３」であってもにおいレベル表示部２２の表示レベルを「２」に変更表示する。その後、１５０秒後のｄ点で、現状の表示レベル「２」を下回る汚染レベル「１」を検出すると、においレベル表示部２２はレベル「１」を表示し、そのカウント時間を加算する。そのため、表示レベルを「２」に変更したｃ点から１２００秒経過すると、においレベル表示部２２の表示レベルを「０」に変更表示する。
【００３８】
なお、風量が自動「標準」に設定されている場合、図５（Ｂ）に示すように、ａ点でガスセンサ３０の出力によって汚染レベル「２」を検出すると、ファン２７による風量を「中」としてにおいレベル表示部２２はレベル「２」を表示する。また、ｔＭ２が４００秒（×２＝８００）後のｂ点で、前回を上回る汚染レベル「３」を検出すると、風量を「強」としてにおいレベル表示部２２はレベル「３」を表示し、カウントした時間をクリアする。そして、この汚染レベル「３」の検出が続き、ｔＭ３が１５０秒（×４＝６００）経過したｃ'1点では、検出したレベルが「３」であってもにおいレベル表示部２２の表示レベルを「２」に変更表示するとともに、風量を「中」に変更する。また、このｃ'1点からｔＭ２が４５０秒（×２＝９００）後のｃ'2点では、検出したレベルが「３」であってもにおいレベル表示部２２の表示レベルを「１」に変更表示するとともに、風量を「弱」に変更する。その後、ｃ'2点からｔＭ１が１５０秒後のｄ点で、現状の表示レベル「１」と同じ汚染レベル「１」を検出すると、それまでのカウント時間を加算し、表示レベルを「１」に変更したｃ'2点からｔＭ１が１２００秒経過すると、においレベル表示部２２の表示レベルを「０」に変更表示する。
【００３９】
次に、前記空気清浄機１のマイコンによる制御について説明する。
運転が開始されると、マイコンは、図６に示すように、まず、ステップＳ１で、ガスセンサ３０によって室内の空気のガス値を検出した後、ステップＳ２で、ガス汚染レベルの表示処理を実行してステップＳ３に進む。なお、このガス汚染レベル表示処理は、後で詳細に説明する。
【００４０】
ステップＳ３では、ダストセンサ３１によって室内の空気のダスト値を検出した後、ステップＳ４で、ダスト汚染レベルの表示処理を実行してステップＳ５に進む。ここで、このダスト汚染レベル表示処理は、ダストセンサ３１の出力に応じて前記ほこりレベル表示部２１のＬＥＤ１５ａ〜１５ｄを点灯させるものである。
【００４１】
ステップＳ５では、ユーザが選択した風量設定を読み込む。その後、ステップＳ６で、風量設定として「自動」が選択されているか否かを検出する。そして、「自動」が選択されている場合にはステップＳ７に進み、ファン風量調節処理を実行してステップＳ１に戻る。一方、「自動」が選択されていない場合にはステップＳ８に進む。
【００４２】
ステップＳ８では、風量設定として「強」が選択されているか否かを検出する。そして、「強」が選択されている場合にはステップＳ９に進み、ファン２７による風量を「強」として運転動作をさせてステップＳ１に戻る。一方、「強」が選択されていない場合にはステップＳ１０に進む。
【００４３】
ステップＳ１０では、風量設定として「中」が選択されているか否かを検出する。そして、「中」が選択されている場合にはステップＳ１１に進み、ファン２７による風量を「中」として運転動作をさせてステップＳ１に戻る。一方、「中」が選択されていない場合にはステップＳ１２に進み、ファン２７による風量を「弱」として運転動作をさせてステップＳ１に戻る。
【００４４】
次に、前記ステップＳ７のファン風量調節処理について先に説明する。
このファン風量調節処理では、マイコンは、図７に示すように、ステップＳ７−１で、においレベル表示部２２に表示したガスレベル表示（ＧＬ）を読み込んだ後、ステップＳ７−２で、ほこりレベル表示部２１に表示したダストレベル表示（ＤＬ）を読み込んでステップＳ７−３に進む。
【００４５】
ステップＳ７−３では、自動運転のうち「おだやか」に設定されているか否かを検出する。そして、「おだやか」に設定されていない場合、即ち、「標準」に設定されている場合にはステップＳ７−４に進む。一方、「おだやか」に設定されている場合にはステップＳ７−１１に進む。
【００４６】
ステップＳ７−４では、前記ＧＬまたはＤＬのうちいずれかのレベルが「３」であるか否かを検出する。そして、いずれかのレベルが「３」である場合にはステップＳ７−５に進み、ファン２７による風量を「強」として運転動作させてリターンする。一方、いずれのレベルも「３」ではない場合にはステップＳ７−６に進む。
【００４７】
ステップＳ７−６では、前記ＧＬまたはＤＬのうちいずれかのレベルが「２」であるか否かを検出する。そして、いずれかのレベルが「２」である場合にはステップＳ７−７に進み、ファン２７による風量を「中」として運転動作させてリターンする。一方、いずれのレベルも「２」ではない場合にはステップＳ７−８に進む。
【００４８】
ステップＳ７−８では、前記ＧＬまたはＤＬのうちいずれかのレベルが「１」であるか否かを検出する。そして、いずれかのレベルが「１」である場合にはステップＳ７−９に進み、ファン２７による風量を「弱」として運転動作させてリターンする。一方、いずれのレベルも「１」ではない場合にはステップＳ７−１０に進み、ファン２７の動作を停止させてリターンする。
【００４９】
また、前記ステップＳ７−３で自動運転のうち「おだやか」に設定されている場合にはステップＳ７−１１で、前記ＧＬおよびＤＬのいずれのレベルも「０」であるか否かを検出する。そして、いずれのレベルも「０」である場合にはステップＳ７−１２に進み、ファン２７の動作を停止させてリターンする。一方、いずれのレベルも「０」ではない場合、または、いずれかのレベルが「０」でない場合にはステップＳ７−１３に進み、ファン２７による風量を「弱」として運転動作させてリターンする。
【００５０】
次に、前記ステップＳ２のガス汚染レベル表示処理について説明する。
このガス汚染レベル表示処理では、マイコンは、図８に示すように、まず、ステップＳ２０で、ガスセンサ３０を介して検出したガス汚染レベルが「３」であるか否かを検出する。そして、ガス汚染レベルが「３」である場合にはステップＳ２１に進み、ガス汚染レベルが「３」でない場合にはステップＳ２４に進む。
【００５１】
ステップＳ２１では、ガス汚染レベル「３」の検出状態であることを示すフラグｆａに１が入力されているか否かを検出する。そして、ｆａが１である場合には図９に示すステップＳ３５に進む。一方、ｆａが１でない（ｆａ＝０）場合にはステップＳ２２に進み、第１カウント時間設定処理を実行した後、ステップＳ２３で、ガス汚染レベルを「３」に設定しにおいレベル表示部２２のＬＥＤ１５ｅ〜１５ｈを表示させて図９に示すステップＳ３５に進む。なお、前記ステップＳ２１では、ガス汚染レベル「３」を検出した当初はステップＳ２２に進み、以後、連続してガス汚染レベル「３」を検出した場合にはそのままステップＳ３５に進む。
【００５２】
また、ステップＳ２４では、ガスセンサ３０を介して検出したガス汚染レベルが「２」であるか否かを検出する。そして、ガス汚染レベルが「２」である場合にはステップＳ２５に進み、ガス汚染レベルが「２」でない場合にはステップＳ２８に進む。
【００５３】
ステップＳ２５では、ガス汚染レベル「２」の検出状態であることを示すフラグｆｂに１が入力されているか否かを検出する。そして、ｆｂが１である場合には図９に示すステップＳ３５に進む。一方、ｆｂが１でない（ｆｂ＝０）場合にはステップＳ２６に進み、第２カウント時間設定処理を実行した後、ステップＳ２７で、ガス汚染レベルを「２」に設定しにおいレベル表示部２２のＬＥＤ１５ｅ〜１５ｇを表示させて図９に示すステップＳ３５に進む。なお、前記ステップＳ２５では、ガス汚染レベル「２」を検出した当初はステップＳ２６に進み、以後、連続してガス汚染レベル「２」を検出した場合にはそのままステップＳ３５に進む。
【００５４】
また、ステップＳ２８では、ガスセンサ３０を介して検出したガス汚染レベルが「１」であるか否かを検出する。そして、ガス汚染レベルが「１」である場合にはステップＳ２９に進み、ガス汚染レベルが「１」でない場合にはステップＳ３２に進む。
【００５５】
ステップＳ２９では、ガス汚染レベル「１」の検出状態であることを示すフラグｆｃに１が入力されているか否かを検出する。そして、ｆｃが１である場合には図９に示すステップＳ３５に進む。一方、ｆｃが１でない（ｆｃ＝０）場合にはステップＳ３０に進み、第３カウント時間設定処理を実行した後、ステップＳ３１で、ガス汚染レベルを「１」に設定しにおいレベル表示部２２のＬＥＤ１５ｅ，１５ｆを表示させて図９に示すステップＳ３５に進む。なお、前記ステップＳ２９では、ガス汚染レベル「１」を検出した当初はステップＳ３０に進み、以後、連続してガス汚染レベル「１」を検出した場合にはそのままステップＳ３５に進む。
【００５６】
また、ステップＳ３２では、ｆａ，ｆｂ，ｆｃの全てに０を入力した後、ステップＳ３３で、ガス汚染レベル「０」の検出状態であることを示すフラグｆｄに１を入力する。その後、ステップＳ３４で、ガス汚染レベルを「０」に設定しにおいレベル表示部２２のＬＥＤ１５ｅを表示させてリターンする。
【００５７】
図９に示すように、ステップＳ３５では、後述するカウント時間演算処理を実行した後、ステップＳ３６で、演算したカウント時間が設定したカウント時間になり、カウントアップしたか否かを検出する。そして、カウントアップしていない場合にはステップＳ３７に進み、においレベル表示部２２のガス汚染レベルを現状のレベルのまま維持してリターンする。一方、カウントアップした場合にはステップＳ３８に進み、後述する汚染レベル表示および更新処理を実行してリターンする。
【００５８】
次に、前記ステップＳ２２の第１カウント時間設定処理について説明する。
この第１カウント時間設定処理では、マイコンは、図１０に示すように、まず、ステップＳ２２−１で、タイマによるカウント時間をクリアした後、ステップＳ２２−２で、タイマによるカウント時間を６００秒に設定してステップＳ２２−３に進む。
【００５９】
そして、ステップＳ２２−３では、タイマをスタートし、ステップＳ２２−４で、前記ｆｂ，ｆｃ，ｆｄに０を入力した後、ステップＳ２２−５でｆａに１を入力してリターンする。
【００６０】
次に、前記ステップＳ２６の第２カウント時間設定処理について説明する。
この第２カウント時間設定処理では、マイコンは、図１１に示すように、まず、ステップＳ２６−１で、ｆａに１が入力されているか否かを検出する。そして、ｆａが１である場合にはステップＳ２６−２に進み、ｆａが１でない（ｆａ＝０）場合にはステップＳ２６−４に進む。
【００６１】
ステップＳ２６−２では、現状のにおいレベル表示部２２の表示がレベル「１」または「０」であるか否かを検出する。そして、レベル「１」または「０」でない（「３」または「２」である）場合にはステップＳ２６−３に進み、タイマによる現状までのカウント時間を加算するために保持してステップＳ２６−５に進む。即ち、ガスセンサ３０を介して汚染レベル「２」を検出した際に、その直前まで汚染レベル「３」を検出しており、経時的ににおいレベル表示部２２の表示レベルを「１」または「０」に更新表示していない場合、カウント時間を保持する。一方、レベル「１」または「０」である場合にはステップＳ２６−４に進む。
【００６２】
また、ステップＳ２６−４では、タイマによるカウント時間をクリアしてステップＳ２６−５に進む。即ち、ガスセンサ３０を介して汚染レベル「２」を検出した際に、その直前まで汚染レベル「１」または「０」を検出している場合、または、その直前まで汚染レベル「３」を検出しており、経時的ににおいレベル表示部２２の表示レベルを「１」または「０」に更新表示している場合、カウント時間をクリアする。
【００６３】
ついで、ステップＳ２６−５では、タイマによるカウント時間を９００秒に設定した後、ステップＳ２６−６で、タイマをスタートする。その後、ステップＳ２６−７で、前記ｆａ，ｆｃ，ｆｄに０を入力した後、ステップＳ２６−８でｆｂに１を入力してリターンする。
【００６４】
次に、前記ステップＳ３０の第３カウント時間設定処理について説明する。
この第３カウント時間設定処理では、マイコンは、図１２に示すように、まず、ステップＳ３０−１で、ｆａまたはｆｂに１が入力されているか否かを検出する。そして、ｆａまたはｆｂが１である場合にはステップＳ３０−２に進み、ｆａまたはｆｂが１でない場合にはステップＳ３０−４に進む。
【００６５】
ステップＳ３０−２では、現状のにおいレベル表示部２２の表示がレベル「０」であるか否かを検出する。そして、レベル「０」でない場合にはステップＳ３０−３に進み、タイマによる現状までのカウント時間を加算するために保持してステップＳ３０−５に進む。即ち、ガスセンサ３０を介して汚染レベル「１」を検出した際に、その直前まで汚染レベル「３」または「２」を検出しており、経時的ににおいレベル表示部２２の表示レベルを「０」に更新表示していない場合、カウント時間を保持する。一方、レベル「０」である場合にはステップＳ３０−４に進む。
【００６６】
また、ステップＳ３０−４では、タイマによるカウント時間をクリアしてステップＳ３０−５に進む。即ち、ガスセンサ３０を介して汚染レベル「１」を検出した際に、その直前まで汚染レベル「０」を検出している場合、または、その直前まで汚染レベル「３」または「２」を検出しており、経時的ににおいレベル表示部２２の表示レベルを「０」に更新表示している場合、カウント時間をクリアする。
【００６７】
ついで、ステップＳ３０−５では、タイマによるカウント時間を１２００秒に設定した後、ステップＳ３０−６で、タイマをスタートする。その後、ステップＳ３０−７で、前記ｆａ，ｆｂ，ｆｄに０を入力した後、ステップＳ３０−８でｆｃに１を入力してリターンする。
【００６８】
次に、ステップＳ３５のカウント時間演算処理について説明する。
このカウント時間演算処理では、マイコンは、図１３に示すように、まず、ステップＳ３５−１で、１秒経過したか否かを検出する。そして、１秒経過した場合にはステップＳ３５−２に進み、１秒経過していない場合にはリターンする。
【００６９】
ステップＳ３５−２では、現状の風量を読み込み、ステップＳ３５−３で、風量が「強」であるか否かを検出する。そして、風量が「強」である場合にはステップＳ３５−４に進み、カウント時間に４秒を加算してリターンする。一方、風量が「強」でない場合にはステップＳ３５−５に進む。
【００７０】
ステップＳ３５−５では、現状の風量が「中」であるか否かを検出する。そして、風量が「中」である場合にはステップＳ３５−６に進み、カウント時間に２秒を加算してリターンする。一方、風量が「中」でない場合にはステップＳ３５−７に進み、カウント時間に１秒を加算してリターンする。
【００７１】
次に、ステップＳ３８の汚染レベル表示更新処理について説明する。
この汚染レベル表示更新処理では、マイコンは、図１４に示すように、まず、ステップＳ３８−１で、現状のにおいレベル表示部２２のレベル表示が「３」であるか否かを検出する。そして、現レベル表示が「３」である場合にはステップＳ３８−２に進み、現レベル表示が「３」でない場合にはステップＳ３８−６に進む。
【００７２】
ステップＳ３８−２では、においレベル表示部２２に表示するレベルを「２」に設定表示した後、ステップＳ３８−３で、タイマをクリアする。その後、ステップＳ３８−４で、タイマによるカウント時間を９００秒に設定した後、ステップＳ３８−５で、タイマをスタートさせてリターンする。
【００７３】
また、ステップＳ３８−６では、現状のにおいレベル表示部２２のレベル表示が「２」であるか否かを検出する。そして、現レベル表示が「２」である場合にはステップＳ３８−７に進む。一方、現レベル表示が「２」でない場合にはステップＳ３８−１１に進み、においレベル表示部２２に表示するレベルを「０」に設定表示してリターンする。
【００７４】
ステップＳ３８−７では、においレベル表示部２２に表示するレベルを「１」に設定表示した後、ステップＳ３８−８で、タイマをクリアする。その後、ステップＳ３８−９で、タイマによるカウント時間を１２００秒に設定した後、ステップＳ３８−１０で、タイマをスタートさせてリターンする。
【００７５】
なお、本発明の空気清浄機１は、前記実施形態の構成に限定されるものではない。
例えば、前記実施形態では、ガスセンサ３０の出力による汚染レベルが増加した場合にそれまでのカウント時間をリセットし、ガスセンサ３０の出力による汚染レベルが減少した場合にそれまでのカウント時間を加算したが、いずれの場合でもカウント時間をリセットする構成としてもよい。即ち、汚染レベルが増減した場合、それまでのカウント時間をリセットしてもよい。このようにすれば、汚染レベルが増加または減少した場合、いずれの状態でも十分な清浄時間を確保できる。
【００７６】
【発明の効果】
以上の説明から明らかなように、本発明の空気清浄機は、汚染レベルの変動と同時にタイマのカウントを開始し、所定時間以上、汚染レベルが同一である場合、前記汚染レベルが減少したと判断するため、汚染レベルの表示を減少させたり、汚染レベルに応じてファンによる風量を段階的に変更する自動運転を選択している場合にはファンによる風量を減少させることができる。そのため、ユーザが違和感を感じることなく、実際の室内の汚染レベルに応じた表示や自動運転を行うことができる。
【図面の簡単な説明】
【図１】  本発明の実施形態に係る空気清浄機を示す斜視図である。
【図２】  図１の後方から見た斜視図である。
【図３】  図１の中央縦断面図である。
【図４】  （Ａ），（Ｂ）は同一の汚染レベルを検出した際の表示レベルの変更を示す図である。
【図５】  （Ａ），（Ｂ）は異なる汚染レベルを検出した際の表示レベルの変更を示す図である。
【図６】  マイコンによる清浄制御を示すフローチャートである。
【図７】  図６のファン風量調節処理のフローチャートである。
【図８】  図６のガス汚染レベル表示処理のフローチャートである。
【図９】  図８の続きのフローチャートである。
【図１０】  図８の第１カウント時間設定処理のフローチャートである。
【図１１】  図８の第２カウント時間設定処理のフローチャートである。
【図１２】  図８の第３カウント時間設定処理のフローチャートである。
【図１３】  図９のカウント時間演算処理のフローチャートである。
【図１４】  図９の汚染レベル表示更新処理のフローチャートである。
【符号の説明】
１…空気清浄機、２…ケーシング（機体）、１１…表示基板、１６…操作パネル、２１…ほこりレベル表示部、２２…においレベル表示部、２３…風量表示部、２６…清浄フィルタ、２７…ファン、３０…ガスセンサ、３１…ダストセンサ、３２…制御基板。
【図１】
0003769212.tif 000004
【図２】
0003769212.tif 000005
【図３】
0003769212.tif 000006
【図４】
0003769212.tif 000007
【図５】
0003769212.tif 000008
【図６】
0003769212.tif 000009
【図７】
0003769212.tif 000010
【図８】
0003769212.tif 000011
【図９】
0003769212.tif 000012
【図１０】
0003769212.tif 000013
【図１１】
0003769212.tif 000014
【図１２】
0003769212.tif 000015
【図１３】
0003769212.tif 000016
【図１４】
0003769212.tif 000017